(57)【特許請求の範囲】
【請求項１】
受信信号に含まれる複数フレームの各々のシンボル同期タイミングを検出する検出手段と、
検出された複数のシンボル同期タイミングを前記複数フレームの間で比較して、前記複数のシンボル同期タイミングのうち一フレーム長において時間的に最も早いシンボル同期タイミングを選択する選択手段と、
選択されたシンボル同期タイミングを処理開始タイミングとして受信信号に対してフーリエ変換処理を行う変換手段と、
を有することを特徴とするＯＦＤＭ受信装置。
【請求項２】
前記選択手段は、
前記複数のシンボル同期タイミングの各々を、前記一フレーム長における発生時刻の早さに対応する数値に変換する変換手段と、
前記数値を大小比較して、前記一フレーム長において時間的に最も早いシンボル同期タイミングを抽出する抽出手段と、
を有することを特徴とする請求項１記載のＯＦＤＭ受信装置。
【請求項３】
前記選択手段は、
前記複数のシンボル同期タイミングの各々を、前記一フレーム長における発生時刻の早さに対応する数値に変換する変換手段と、
一のシンボル同期タイミング分の前記数値を格納する格納手段と、
前記一のシンボル同期タイミング分の前記数値と他のシンボル同期タイミング分の前記数値とを大小比較する比較手段と、を有し、
前記格納手段は、
前記他のシンボル同期タイミング分の前記数値が前記一のシンボル同期タイミング分の前記数値よりも小さい場合、前記他のシンボル同期タイミング分の前記数値で前記一のシンボル同期タイミング分の前記数値を更新する、
ことを特徴とする請求項１記載のＯＦＤＭ受信装置。
【請求項４】
複数ブランチで受信した受信信号のシンボル同期タイミングをブランチ毎に検出する検出手段と、
ブランチ毎に検出されたシンボル同期タイミングのうち時間的に最も早いシンボル同期タイミングを選択する選択手段と、
選択されたシンボル同期タイミングを各ブランチにおける受信信号に対するフーリエ変換処理に共通の開始タイミングとして設定する設定手段と、
を有することを特徴とするＯＦＤＭ受信装置。
【請求項５】
前記選択手段は、
検出された各ブランチのシンボル同期タイミングをその発生時刻の早さに対応する数値に変換する変換手段と、
前記数値を大小比較し、ブランチ毎に検出されたシンボル同期タイミングのうち時間的に最も早いシンボル同期タイミングを抽出する抽出手段と、
を有することを特徴とする請求項４記載のＯＦＤＭ受信装置。
【請求項６】
ブランチ毎に設けられ、各ブランチの受信信号の位相回転量を算出する位相回転量演算手段と、
前記選択手段によってシンボル同期タイミングが選択されたブランチの受信信号の位相回転量に基づいてすべてのブランチの受信信号に対して周波数オフセット補償を行う補償手段と、
を有することを特徴とする請求項４記載のＯＦＤＭ受信装置。
【請求項７】
前記位相回転量演算手段の出力である各ブランチの受信信号の位相回転量を平均化する平均化手段と、
前記検出手段の出力である各ブランチについてのシンボル同期タイミングの発生時刻の差が所定値以上であるか否かを判定する判定手段と、
前記判定手段の判定結果に基づいて、発生時刻の差が所定値以上であれば、前記選択手段によってシンボル同期タイミングが選択されたブランチの受信信号の位相回転量に基づいてすべてのブランチの受信信号に対して周波数オフセット補償を行うように前記補償手段を制御し、発生時刻の差が所定値に達しなければ、前記平均化手段の出力である平均化処理された位相回転量に基づいてすべてのブランチの受信信号に対して周波数オフセット補償を行うように前記補償手段を制御する制御手段と、
を有することを特徴とする請求項６記載のＯＦＤＭ受信装置。
【請求項８】
請求項１から請求項７のいずれかに記載のＯＦＤＭ受信装置を有することを特徴とする基地局装置。
【請求項９】
請求項１から請求項７のいずれかに記載のＯＦＤＭ受信装置を有することを特徴とする通信端末装置。
【請求項１０】
受信信号に含まれる複数フレームの各々のシンボル同期タイミングを検出する検出工程と、
検出された複数のシンボル同期タイミングを前記複数フレームの間で比較して、前記複数のシンボル同期タイミングのうち一フレーム長において時間的に最も早いシンボル同期タイミングを選択する選択工程と、
選択されたシンボル同期タイミングを処理開始タイミングとして受信信号に対してフーリエ変換処理を行う変換工程と、
を有することを特徴とするシンボル同期誤差低減方法。
【請求項１１】
前記選択工程は、
前記複数のシンボル同期タイミングの各々を、前記一フレーム長における発生時刻の早さに対応する数値に変換し、前記数値を大小比較して、前記一フレーム長において時間的に最も早いシンボル同期タイミングを抽出する、
ことを特徴とする請求項１０記載のシンボル同期誤差低減方法。
【請求項１２】
前記選択工程は、
前記複数のシンボル同期タイミングの各々を、前記一フレーム長における発生時刻の早さに対応する数値に変換し、一のシンボル同期タイミング分の前記数値を格納し、前記一のシンボル同期タイミング分の前記数値と他のシンボル同期タイミング分の前記数値とを大小比較し、前記他のシンボル同期タイミング分の前記数値が前記一のシンボル同期タイミング分の前記数値よりも小さい場合、前記他のシンボル同期タイミング分の前記数値で前記一のシンボル同期タイミング分の前記数値を更新し格納する、
ことを特徴とする請求項１０記載のシンボル同期誤差低減方法。
【請求項１３】
複数ブランチで受信した受信信号のシンボル同期タイミングをブランチ毎に検出する検出工程と、
ブランチ毎に検出されたシンボル同期タイミングのうち時間的に最も早いシンボル同期タイミングを選択する選択工程と、
選択されたシンボル同期タイミングを各ブランチにおける受信信号に対するフーリエ変換処理に共通の開始タイミングとして設定する設定工程と、
を有することを特徴とするシンボル同期誤差低減方法。
【請求項１４】
前記選択工程は、
検出された各ブランチのシンボル同期タイミングをその発生時刻の早さに対応する数値に変換し、前記数値を大小比較し、ブランチ毎に検出されたシンボル同期タイミングのうち時間的に最も早いシンボル同期タイミングを抽出する、
ことを特徴とする請求項１３記載のシンボル同期誤差低減方法。
【請求項１５】
各ブランチの受信信号の位相回転量を算出し、前記選択工程によってシンボル同期タイミングが選択されたブランチの受信信号の位相回転量に基づいてすべてのブランチの受信信号に対して周波数オフセット補償を行う、
ことを特徴とする請求項１３記載のシンボル同期誤差低減方法。
【請求項１６】
各ブランチの受信信号の位相回転量を平均化し、前記検出工程の出力である各ブランチについてのシンボル同期タイミングの発生時刻の差が所定値以上であるか否かを判定し、この判定結果に基づいて、発生時刻の差が所定値以上であれば、前記選択工程によってシンボル同期タイミングが選択されたブランチの受信信号の位相回転量に基づいてすべてのブランチの受信信号に対して周波数オフセット補償を行うようにし、発生時刻の差が所定値に達しなければ、平均化処理された位相回転量に基づいてすべてのブランチの受信信号に対して周波数オフセット補償を行うようにする、
ことを特徴とする請求項１５記載のシンボル同期誤差低減方法。
【発明の詳細な説明】
【０００１】
【発明の属する技術分野】
本発明は、ＯＦＤＭ受信装置に関し、特に移動体通信におけるＯＦＤＭ受信装置及びそのシンボル同期誤差低減方法に関する。
【０００２】
【従来の技術】
以下、図８から図１１を用いて、従来のＯＦＤＭ受信装置について説明する。図８は、従来のＯＦＤＭ受信装置の一概略構成を示す要部ブロック図であり、図９は、従来のＯＦＤＭ受信装置の別の一概略構成を示す要部ブロック図であり、図１０は、ＯＦＤＭ方式の送信信号のフレーム構成を示す模式図であり、図１１は、ＯＦＤＭ受信装置における相関値算出結果を示す模式図である。
【０００３】
先ず、図８を用いて、従来のＯＦＤＭ受信装置の構成及びそのシンボル同期タイミング獲得方法について説明する。
【０００４】
図８において、Ａ／Ｄ変換器８０１は、受信信号をアナログ信号からディジタル信号に変換する。遅延器８０２は、ディジタル信号に変換された受信信号を１シンボル分遅延させる。乗算器８０３は、ディジタル信号に変換された受信信号と、遅延器８０２によって１シンボル遅延された受信信号と、に対して複素乗算処理を行う。
【０００５】
積算器８０４は、乗算器８０３の出力を積算する。減算器８０５は、積算器８０４の出力としきい値とを減算処理する。判定器８０６は、減算器８０５の出力の正負判定を行う。例えば、この出力が正である場合に積算結果がしきい値を超えたと判定して、この積算値が得られるタイミングを後述するＦＦＴの処理タイミングとする。
【０００６】
ＦＦＴ回路８０７は、ディジタル信号に変換された受信信号に対して高速フーリエ変換（ＦＦＴ）処理を行う。ＦＦＴ回路８０７におけるＦＦＴ処理は、判定器８０６の出力、すなわち処理開始タイミングに基づいて開始される。
【０００７】
復調部８０８は、ＦＦＴ回路８０７の出力信号に対して復調処理を行う。判定器８０９は、復調部８０８の出力信号の判定を行う。
【０００８】
次いで、上記構成を有するＯＦＤＭ受信装置の動作を説明する。受信された受信信号は、一般に、図１０に示すようなフレーム構成を有し、有効シンボル１００１の前には遅延波を除去する目的で有効シンボルの後端部と同一の信号がガード区間１００２として設けられ、信号の先頭（ガード区間の前）には、位相基準シンボル（パイロットシンボル）１００３と位相基準シンボル１００３と同一の信号である同期用シンボル１００４が設けられている。
【０００９】
Ａ／Ｄ変換器８０１によってディジタル信号に変換された受信信号は、遅延器８０２によって１シンボル分遅延され、乗算器８０３によって受信信号と１シンボル遅延された受信信号との相関値が求められる。
【００１０】
位相基準シンボル１００３と同一の信号が同期用シンボル１００４として位相基準シンボル１００３の前に設けられているため、図１１に示すように、受信信号の位相基準シンボルの後端であって、１シンボル遅延させた信号の同期シンボルの後端（位相基準シンボル１００３の先頭）で乗算器８０３によって算出される相関値がピークとなる。よって、減算器８０５と、判定器８０６と、を用いて、積算器８０４の出力としきい値との大小比較をすることで、相関値のピークを検出することができる。
【００１１】
判定器８０９の出力であるシンボル同期タイミングは、ＦＦＴ回路８０７に入力され、ＦＦＴ処理開始トリガとなる。
【００１２】
ＦＦＴ回路８０７によってＦＦＴ処理された受信信号は、復調部９１６に出力され、復調部８０８によって復調処理が行われ、判定器８０９によって判定され、復調信号となる。
【００１３】
次いで、図９を用いて、複数のブランチの受信信号について、ダイバーシチを行う場合について述べる。
【００１４】
図９において、Ａ／Ｄ変換器９０１及びＡ／Ｄ変換器９０２はそれぞれ、ブランチ１からの受信信号１及びブランチ２からの受信信号２をアナログ信号からディジタル信号に変換する。遅延器９０３及び遅延器９０４はそれぞれ、ディジタル信号に変換された受信信号１及び受信信号２を１シンボル分遅延させる。乗算器９０５及び乗算器９０６はそれぞれ、ディジタル信号に変換された受信信号１及び受信信号２と、遅延器９０３及び遅延器９０４によって１シンボル遅延された受信信号１及び受信信号２と、に対して複素乗算処理を行う。
【００１５】
積算器９０７及び積算器９０８はそれぞれ、乗算器９０５及び乗算器９０６の出力を積算する。減算器９０９及び減算器９１０はそれぞれ、積算器９０７及び積算器９０８の出力としきい値とを減算処理する。判定器９１１及び判定器９１２はそれぞれ、減算器９０９及び減算器９１０の出力の正負判定を行う。例えば、この出力が正である場合に積算結果がしきい値を超えたと判定して、この積算値が得られるタイミングを後述するＦＦＴの処理タイミングとする。
【００１６】
ＦＦＴ回路９１３及びＦＦＴ回路９１４はそれぞれ、ディジタル信号に変換された受信信号１及び受信信号２に対して高速フーリエ変換（ＦＦＴ）処理を行う。これらＦＦＴ回路９１３及びＦＦＴ回路９１４におけるＦＦＴ処理はそれぞれ、判定器９１１及び判定器９１２の出力、すなわち処理開始タイミングに基づいて開始される。
【００１７】
セレクタ９１５は、受信信号１及び受信信号２の受信レベルに応じて、ＦＦＴ回路９１３の出力又はＦＦＴ回路９１４の出力を選択し、出力する。復調部９１６は、セレクタ９１５の出力信号に対して復調処理を行う。判定器９１７は、復調部９１６の出力信号の判定を行う。
【００１８】
アーク・タンジェント演算器９１８及びアーク・タンジェント演算器９１９はそれぞれ、積算器９０７及び積算器９０８の出力信号に対してアーク・タンジェント演算を行う。平均化器９２０は、アーク・タンジェント演算器９１８の出力とアーク・タンジェント演算器９１９の出力との平均を取る。
【００１９】
次いで、上記構成を有するＯＦＤＭ受信装置の動作を説明する。ブランチ１及びブランチ２によって受信された受信信号１及び受信信号２は、Ａ／Ｄ変換器９０１及びＡ／Ｄ変換器９０２によってディジタル信号に変換され、遅延器９０３及び遅延器９０４によって１シンボル分遅延され、乗算器９０５及び乗算器９０６によって受信信号と１シンボル遅延された受信信号との相関値が求められる。
【００２０】
算出された各ブランチの受信信号についての相関値は、減算器９０９及び減算器９１０と、判定器９１１及び判定器９１２と、を用いて、積算器９０７及び積算器９０８の出力としきい値との大小比較をすることで、それぞれピークが検出される。
【００２１】
判定器９１１及び判定器９１２の出力であるシンボル同期タイミングはそれぞれ、ＦＦＴ回路９１３及びＦＦＴ回路９１４に入力され、ＦＦＴ処理開始トリガとなる。
【００２２】
ＦＦＴ回路９１３及びＦＦＴ回路９１４によってそれぞれＦＦＴ処理された受信信号１及び受信信号２は、セレクタ９１５によって受信レベルが高い方が選択され、復調部９１６に出力される。セレクタ９１５によって選択され復調部９１６に入力された受信信号は、復調部９１６によって復調処理が行われ、判定器９１７によって判定され、復調信号となる。
【００２３】
一方、積算器９０７及び積算器９０８の出力信号はそれぞれ、アーク・タンジェント演算器９１８及びアーク・タンジェント演算器９１９によってアーク・タンジェント演算が行われ、各ブランチの受信信号の位相回転量が算出される。この各ブランチの受信信号の位相回転量は、平均化器９２０によって平均化され、出力される。平均化器９２０の出力である位相回転量Δｆは、補償すべき周波数オフセット量として、直交検波時の周波数オフセット補償に用いられる。
【００２４】
このように、従来のＯＦＤＭ受信装置は、受信信号と受信信号を１シンボル遅延させて信号との相関値を算出し、相関値のピークを検出し、このピークが検出されたタイミングをシンボル同期タイミングとして、受信信号に対するＦＦＴ処理開始のタイミングとする。又、ダイバーシチにおいては、受信レベルが最も高いブランチを選択する。
【００２５】
【発明が解決しようとする課題】
しかしながら、従来のＯＦＤＭ受信装置においては、シンボル同期タイミングが時間的により後方で獲得される傾向にあるマルチパス環境下において、誤り率特性が劣化するという問題がある。
【００２６】
すなわち、従来のＯＦＤＭ受信装置においては、ガード区間は有効シンボルの前段に設けられているため、シンボル同期タイミングが実際よりも時間的に前方で獲得された場合には有効シンボルを問題なく抽出できるものの、実際よりも時間的に後方で同期が獲得された場合には干渉が生じ、誤り率特性が大きく劣化する。
【００２７】
本発明はかかる点に鑑みてなされたものであり、シンボル同期獲得の精度を向上させ、マルチパス環境下での誤り率を向上させるＯＦＤＭ受信装置を提供することを目的とする。
【００２８】
【課題を解決するための手段】
本発明の骨子は、一定時間内に受信された複数のフレームのうち、最も早く相関値のピークが検出されたフレームについてのピーク検出タイミングをＦＦＴ処理開始のタイミングであるシンボル同期タイミングとして用い、又、ダイバーシチにおいては、最も早く相関値のピークが検出されたブランチについてのピーク検出タイミングを全ブランチについて共通のＦＦＴ処理開始のタイミングであるシンボル同期タイミングとして用いることである。
【００２９】
【発明の実施の形態】
本発明の第１の態様に係るＯＦＤＭ受信装置は、複数のフレームから成る受信信号のシンボル同期タイミングをフレーム毎に検出するタイミング検出手段と、所定時間内に前記タイミング検出手段によって検出されたタイミングのうち時間的に最も早いタイミングを選択するタイミング選択手段と、このタイミング選択手段によって選択されたタイミングを処理開始タイミングとして受信信号に対してフーリエ変換処理を行うフーリエ変換手段と、を具備する構成を採る。
【００３０】
この構成によれば、一定時間内に受信された複数のフレームについて検出された相関値のピークの中で時間的に最も早いものをシンボル同期タイミングとすることによって、シンボル同期タイミングが時間的に後方にずれることを防止し、シンボル同期タイミングの獲得精度を高めることができるため、マルチパス環境下での誤り率を向上させることができる。
【００３１】
本発明の第２の態様に係るＯＦＤＭ受信装置は、第１の態様において、前記タイミング選択手段は、前記タイミング検出手段によって検出された各タイミングをその発生時刻の早さに対応する数値に変換する変換部と、これら変換された数値を大小比較することにより、前記タイミング検出手段によって検出されたタイミングが時間的に最も早いものを抽出する抽出部と、を有する構成を採る。
【００３２】
この構成によれば、一定時間内に受信された複数のフレームについて検出された相関値のピークの発生時刻を数値化することができるため、ピークの中で時間的に最も早いものを容易に検出することができる。
【００３３】
本発明の第３の態様に係るＯＦＤＭ受信装置は、第１の態様において、前記タイミング選択手段は、前記タイミング検出手段によって検出された各タイミングをその発生時刻の早さに対応する数値に変換する変換部と、これら変換された数値を一タイミング分のみ格納する格納部と、前記変換部によって変換された数値と前記格納部から読み出した数値とを大小比較し、前記タイミング検出手段によって検出されたタイミングが時間的に早い方を出力する比較部と、この比較部の比較結果に応じて、前記タイミング検出手段によって検出された時間的に早いタイミングに対応する数値を前記格納部に更新する更新制御部と、を有する構成を採る。
【００３４】
この構成によれば、最先タイミング検出部が時間的に最も早いタイミングが現れる度にそのタイミングを格納し、これをシンボル同期タイミングとして用いるため、シンボル同期獲得精度が向上すると共に、メモリ容量が削減され、装置を小型化・軽量化することができる。
【００３５】
本発明の第４の態様に係るＯＦＤＭ受信装置は、複数ブランチで受信した受信信号のシンボル同期をブランチ毎に検出するタイミング検出手段と、このタイミング検出手段によってブランチ毎に検出されたタイミングのうち時間的に最も早いタイミングを選択するタイミング選択手段と、このタイミング選択手段によって選択されたタイミングを各ブランチにおける受信信号に対するフーリエ変換処理に共通の開始タイミングとして設定するフーリエ変換処理制御手段と、フーリエ変換処理後の各ブランチの受信信号の中から受信レベルが最も高い信号を選択し、復調処理を行う復調手段と、を具備する構成を採る。
【００３６】
この構成によれば、シンボル同期を時間的に最も早く獲得したブランチについてのシンボル同期をすべてのブランチにおける共通のシンボル同期タイミングとすることによって、シンボル同期タイミングが時間的に後方にずれることを防止し、シンボル同期タイミングの獲得精度を高めることができるため、マルチパス環境下でのダイバーシチの精度を向上させることができる。
【００３７】
本発明の第５の態様に係るＯＦＤＭ受信装置は、第４の態様において、前記タイミング選択手段は、前記タイミング検出手段によって検出された各ブランチのタイミングをその発生時刻の早さに対応する数値に変換する変換部と、これら変換された数値を大小比較し、前記タイミング検出手段によって検出されたタイミングが時間的に最も早いものを抽出する抽出部と、を有する構成を採る。
【００３８】
この構成によれば、一定時間内に受信された複数のフレームについて検出された相関値のピークの発生時刻を数値化することができるため、ピークの中で時間的に最も早いものを容易に検出することができる。
【００３９】
本発明の第６の態様に係るＯＦＤＭ受信装置は、第４の態様又は第５の態様において、ブランチ毎に設けられ、各ブランチの受信信号の位相回転量を算出する位相回転量演算部と、前記タイミング選択手段によってタイミングが選択されたブランチの受信信号の位相回転量に基づいてすべてのブランチの受信信号に対して周波数オフセット補償を行う周波数オフセット補償部と、を有する構成を採る。
【００４０】
この構成によれば、周波数オフセット量検出の際、すべてのブランチの受信信号の位相回転量を平均化せず、シンボル同期タイミングが時間的に早く獲得された誤差の少ない方のブランチの受信信号の位相回転量のみを採用するため、補償すべき周波数オフセット量の検出精度を高めることができ、正確な周波数オフセット補償を行うことができる。
【００４１】
本発明の第７の態様に係るＯＦＤＭ受信装置は、第６の態様において、前記位相回転量演算部の出力である各ブランチの受信信号の位相回転量を平均化する平均化部と、前記タイミング検出手段の出力である各ブランチについてのシンボル同期タイミングの発生時刻の差が所定値以上であるか否かを判定する判定部と、この判定部の判定結果に基づいて、発生時刻の差が所定値以上であれば前記周波数オフセット補償部を前記タイミング選択手段によってタイミングが選択されたブランチの受信信号の位相回転量に基づいてすべてのブランチの受信信号に対して周波数オフセット補償を行うように制御し、発生時刻の差が所定値に達しなければ前記周波数オフセット補償部を前記平均化部の出力である平均化処理された位相回転量に基づいてすべてのブランチの受信信号に対して周波数オフセット補償を行うように制御する制御部と、を有する構成を採る。
【００４２】
この構成によれば、検出された両ブランチにおけるシンボル同期タイミングが近接する場合には全ブランチの受信信号の位相回転量を平均化したものを補償すべき周波数オフセット量に採用するため、周波数オフセット量の検出精度を高めることができ、正確な周波数オフセット補償を行うことができる。
【００４３】
本発明の第８の態様に係る基地局装置は、第１の態様から第３の態様のいずれかにおけるＯＦＤＭ受信装置及び第４の態様から第７の態様のいずれかにおけるＯＦＤＭ受信装置の少なくとも一方を具備する構成を採る。
【００４４】
本発明の第９の態様に係る通信端末装置は、第８の態様に係る基地局装置と無線通信を行う構成を採る。
【００４５】
本発明の第１０の態様に係る通信端末装置は、第１の態様から第３の態様のいずれかにおけるＯＦＤＭ受信装置及び第４の態様から第７の態様のいずれかにおけるＯＦＤＭ受信装置の少なくとも一方を具備する構成を採る。
【００４６】
本発明の第１１の態様に係る基地局装置は、第１０の態様に係る通信端末装置と無線通信を行う構成を採る。
【００４７】
これらの構成によれば、一定時間内に受信された複数のフレームのうち、最も早く相関値のピークが検出されたフレームについてのピーク検出タイミングをＦＦＴ処理開始のタイミングであるシンボル同期タイミングとして用い、又、ダイバーシチにおいては、最も早く相関値のピークが検出されたブランチについてのピーク検出タイミングを全ブランチについてＦＦＴ処理開始のタイミングであるシンボル同期タイミングとして用いることによって、シンボル同期獲得の精度を向上させ、マルチパス環境下での誤り率を向上させることができる。
【００４８】
本発明の第１２の態様に係るシンボル同期誤差低減方法は、複数のフレームから成る受信信号のシンボル同期タイミングをフレーム毎に検出するタイミング検出工程と、所定時間内に前記タイミング検出工程によって検出されたタイミングのうち時間的に最も早いタイミングを選択するタイミング選択工程と、このタイミング選択工程によって選択されたタイミングを処理開始タイミングとして受信信号に対してフーリエ変換処理を行うフーリエ変換工程と、を具備するようにした。
【００４９】
この方法によれば、一定時間内に受信された複数のフレームについて検出された相関値のピークの中で時間的に最も早いものをシンボル同期タイミングとすることによって、シンボル同期タイミングが時間的に後方にずれることを防止し、シンボル同期タイミングの獲得精度を高めることができるため、マルチパス環境下での誤り率を向上させることができる。
【００５０】
本発明の第１３の態様に係るシンボル同期誤差低減方法は、第１２の態様において、前記タイミング選択工程は、前記タイミング検出工程によって検出された各タイミングをその発生時刻の早さに対応する数値に変換し、これら変換された数値を大小比較することにより、前記タイミング検出工程によって検出されたタイミングが時間的に最も早いものを抽出するようにした。
【００５１】
この方法によれば、一定時間内に受信された複数のフレームについて検出された相関値のピークの発生時刻を数値化することができるため、ピークの中で時間的に最も早いものを容易に検出することができる。
【００５２】
本発明の第１４の態様に係るシンボル同期誤差低減方法は、第１２の態様において、前記タイミング選択工程は、前記タイミング検出工程によって検出された各タイミングをその発生時刻の早さに対応する数値に変換し、これら変換された数値を一タイミング分のみ格納し、変換された数値と格納されている数値とを大小比較し、前記タイミング検出工程によって検出されたタイミングが時間的に早い方を出力し、この出力されたタイミングに応じて、前記タイミング検出工程によって検出された時間的に早いタイミングに対応する数値を更新し格納するようにした。
【００５３】
この方法によれば、最先タイミング検出部が時間的に最も早いタイミングが現れる度にそのタイミングを格納し、これをシンボル同期タイミングとして用いるため、シンボル同期獲得精度が向上すると共に、メモリ容量が削減され、装置を小型化・軽量化することができる。
【００５４】
本発明の第１５の態様に係るシンボル同期誤差低減方法は、複数ブランチで受信した受信信号のシンボル同期をブランチ毎に検出するタイミング検出工程と、このタイミング検出工程によってブランチ毎に検出されたタイミングのうち時間的に最も早いタイミングを選択するタイミング選択工程と、このタイミング選択工程によって選択されたタイミングを各ブランチにおける受信信号に対するフーリエ変換処理に共通の開始タイミングとして設定するフーリエ変換処理制御工程と、フーリエ変換処理後の各ブランチの受信信号の中から受信レベルが最も高い信号を選択し、復調処理を行う復調工程と、を具備するようにした。
【００５５】
この方法によれば、シンボル同期を時間的に最も早く獲得したブランチについてのシンボル同期をすべてのブランチにおける共通のシンボル同期タイミングとすることによって、シンボル同期タイミングが時間的に後方にずれることを防止し、シンボル同期タイミングの獲得精度を高めることができるため、マルチパス環境下でのダイバーシチの精度を向上させることができる。
【００５６】
本発明の第１６の態様に係るシンボル同期誤差低減方法は、第１５の態様において、前記タイミング選択工程は、前記タイミング検出工程によって検出された各ブランチのタイミングをその発生時刻の早さに対応する数値に変換し、これら変換された数値を大小比較し、前記タイミング検出工程によって検出されたタイミングが時間的に最も早いものを抽出するようにした。
【００５７】
この方法によれば、一定時間内に受信された複数のフレームについて検出された相関値のピークの発生時刻を数値化することができるため、ピークの中で時間的に最も早いものを容易に検出することができる。
【００５８】
本発明の第１７の態様に係るシンボル同期誤差低減方法は、第１５の態様又は第１６の態様において、各ブランチの受信信号の位相回転量を算出し、前記タイミング選択工程によってタイミングが選択されたブランチの受信信号の位相回転量に基づいてすべてのブランチの受信信号に対して周波数オフセット補償を行うようにした。
【００５９】
この方法によれば、周波数オフセット量検出の際、すべてのブランチの受信信号の位相回転量を平均化せず、シンボル同期タイミングが時間的に早く獲得された誤差の少ない方のブランチの受信信号の位相回転量のみを採用するため、補償すべき周波数オフセット量の検出精度を高めることができ、正確な周波数オフセット補償を行うことができる。
【００６０】
本発明の第１８の態様に係るシンボル同期誤差低減方法は、第１７の態様において、各ブランチの受信信号の位相回転量を平均化し、前記タイミング検出工程の出力である各ブランチについてのシンボル同期タイミングの発生時刻の差が所定値以上であるか否かを判定し、この判定結果に基づいて、発生時刻の差が所定値以上であれば前記タイミング選択工程によってタイミングが選択されたブランチの受信信号の位相回転量に基づいてすべてのブランチの受信信号に対して周波数オフセット補償を行うようにし、発生時刻の差が所定値に達しなければ平均化処理された位相回転量に基づいてすべてのブランチの受信信号に対して周波数オフセット補償を行うようにするようにした。
【００６１】
この方法によれば、検出された両ブランチにおけるシンボル同期タイミングが近接する場合には全ブランチの受信信号の位相回転量を平均化したものを補償すべき周波数オフセット量に採用するため、周波数オフセット量の検出精度を高めることができ、正確な周波数オフセット補償を行うことができる。
【００６２】
以下、本発明の実施の形態について、図面を参照して詳細に説明する。
【００６３】
（実施の形態１）
本実施の形態に係るＯＦＤＭ受信装置は、一定時間内に受信された複数のフレームの中で時間的に最も早くシンボル同期を獲得したフレームについてのタイミングをシンボル同期タイミングとして用いるものである。
【００６４】
以下、図１及び図２を用いて、本実施の形態に係るＯＦＤＭ受信装置について説明する。図１は、本発明の実施の形態１に係るＯＦＤＭ受信装置の概略構成を示す要部ブロック図であり、図２は、本発明の実施の形態１に係るＯＦＤＭ受信装置の最先タイミング検出部の概略構成を示す要部ブロック図である。
【００６５】
Ａ／Ｄ変換器１０１は、受信信号をアナログ信号からディジタル信号に変換する。遅延器１０２は、ディジタル信号に変換された受信信号を１シンボル分遅延させる。乗算器１０３は、ディジタル信号に変換された受信信号と、遅延器１０２によって１シンボル遅延された受信信号と、に対して複素乗算処理を行う。
【００６６】
積算器１０４は、乗算器１０３の出力を積算する。減算器１０５は、積算器１０４の出力としきい値とを減算処理する。判定器１０６は、減算器１０５の出力の正負判定を行う。例えば、この出力が正である場合に積算結果がしきい値を超えたと判定して、この積算値が得られるタイミングを後述するＦＦＴの処理タイミングとする。
【００６７】
最先タイミング検出部１０７は、一定時間内に受信された複数のフレームについて、判定器１０６の出力を比較し、時間的に最も早く相関値のピークが検出されたフレームを選択し、この選択されたフレームのピークタイミングをシンボル同期タイミングとして、ＦＦＴ回路１０８に出力する。なお、上記一定時間は任意に定めることができる。最先タイミング検出部１０７については、後に詳述する。
【００６８】
ＦＦＴ回路１０８は、ディジタル信号に変換された受信信号に対して高速フーリエ変換（ＦＦＴ）処理を行う。ＦＦＴ回路１０８におけるＦＦＴ処理は、最先タイミング検出部１０７の出力、すなわち処理開始タイミングに基づいて開始される。
【００６９】
復調部１０９は、ＦＦＴ回路１０８の出力信号に対して復調処理を行う。判定器１１０は、復調部１０９の出力信号の判定を行う。
【００７０】
次いで、図２を用いて、最先タイミング検出部１０７について詳述する。
【００７１】
最先タイミング検出部１０７は、図２に示すように、カウンタ２０１と、スイッチ２０２と、複数のメモリ２０３と、大小比較器２０４と、から成る。
【００７２】
カウンタ２０１は、周期が一フレーム長と等しく、判定器１０６の出力である受信信号の各フレームについてのピーク検出タイミングによって計数動作を停止し、この停止した時点でのカウンタ数値を保持する。
【００７３】
スイッチ２０２は、各フレームについてのカウンタ数値をそれぞれ異なるメモリ２０３に出力するように切り替える。
【００７４】
各メモリ２０３は、各フレームのカウンタ数値を格納する。メモリ２０３は、最先タイミング検出部１０７が監視する一定時間に受信されるフレーム数が充分格納されるように設ける数が決められる。例えば、最先タイミング検出部１０７が監視する一定時間が１ｍｓｅｃとし、１ｍｓｅｃの間に平均４フレーム受信されるのであれば、メモリ２０３は４つ以上設けるようにする。
【００７５】
大小比較器２０４は、各メモリ２０３に格納された各フレームについてのカウンタ数値を読み出し、大小比較し、最も数値が小さいものを出力する。この出力されたカウンタ数値が、シンボル同期タイミングとして、ＦＦＴ処理開始タイミングとなる。
【００７６】
次いで、上記構成を有するＯＦＤＭ受信装置の動作について説明する。
【００７７】
受信された受信信号は、Ａ／Ｄ変換器１０１によってディジタル信号に変換され、遅延器１０２によって１シンボル分遅延され、乗算器１０３によって１シンボル遅延された信号との相関値が算出される。
【００７８】
算出された相関値は、積算器１０４によって積算され、減算器１０５によって、任意のしきい値と減算処理され、判定器１０６によって大小判定され、受信信号の各フレームについての相関値のピークを検出することができる。
【００７９】
判定器１０６の出力である相関値のピークは、最先タイミング検出部１０７によって、一定時間内に受信された複数のフレームについて、いずれのフレームについてのピーク検出タイミングが時間的に最も早く獲得されたが比較・選択される。
【００８０】
Ａ／Ｄ変換後の受信信号は、ＦＦＴ回路１０８によって、大小比較器２０４の出力するタイミングを処理開始タイミングとして、ＦＦＴ処理される。
【００８１】
ＦＦＴ処理された受信信号は、復調部１０９に出力され、復調部１０９によって復調処理が行われ、判定器１１０によって判定され、復調信号となる。
【００８２】
このように、本実施の形態によれば、一定時間内に受信された複数のフレームについて検出された相関値のピークの中で時間的に最も早いものをシンボル同期タイミングとすることによって、シンボル同期タイミングが時間的に後方にずれることを防止し、シンボル同期タイミングの獲得精度を高めることができるため、マルチパス環境下での誤り率を向上させることができる。
【００８３】
（実施の形態２）
本実施の形態に係るＯＦＤＭ受信装置は、実施の形態１と同様の構成を有し、但し最先タイミング検出部内のメモリ容量を削減するものである。
【００８４】
以下、図３を用いて、本実施の形態に係るＯＦＤＭ受信装置について説明する。図３は、本発明の実施の形態２に係るＯＦＤＭ受信装置の最先タイミング検出部の概略構成を示す要部ブロック図である。なお、実施の形態１と同様の構成には、同一の符号を付し、詳しい説明は省略する。
【００８５】
図３において、カウンタ２０１は、実施の形態１と同様に、受信された各フレームについてのピーク検出タイミングにおけるカウンタ数値を逐次出力する。
【００８６】
スイッチ３０１は、大小比較器２０４の出力に基づいて、カウンタ２０１によって計数されたカウンタ数値か、又は、メモリ３０２に既に格納されているカウンタ数値か、いずれか小さい方をメモリ３０２に出力し、格納する。
【００８７】
大小比較器２０４は、メモリ３０２に格納されているカウンタ数値と、カウンタ２０１の出力するカウンタ数値と、を大小比較し、小さい方を出力する。
【００８８】
このように、本実施の形態によれば、最先タイミング検出部が時間的に最も早いタイミングが現れる度にそのタイミングを格納し、これをシンボル同期タイミングとして用いるため、シンボル同期獲得精度が向上すると共に、メモリ容量が削減され、装置を小型化・軽量化することができる。
【００８９】
以下、実施の形態３から実施の形態５においては、ダイバーシチを行う場合について説明する。
【００９０】
（実施の形態３）
本実施の形態に係るＯＦＤＭ受信装置は、時間的に最も早くシンボル同期を獲得したブランチについてのシンボル同期タイミングを全ブランチについてのシンボル同期タイミングとして用いるものである。
【００９１】
以下、図４を用いて、本実施の形態に係るＯＦＤＭ受信装置について説明する。図４は、本発明の実施の形態１に係るＯＦＤＭ受信装置の概略構成を示す要部ブロック図である。
【００９２】
Ａ／Ｄ変換器４０１及びＡ／Ｄ変換器４０２はそれぞれ、ブランチ１からの受信信号１及びブランチ２からの受信信号２をアナログ信号からディジタル信号に変換する。遅延器４０３及び遅延器４０４はそれぞれ、ディジタル信号に変換された受信信号１及び受信信号２を１シンボル分遅延させる。乗算器４０５及び乗算器４０６はそれぞれ、ディジタル信号に変換された受信信号１及び受信信号２と、遅延器４０３及び遅延器４０４によって１シンボル遅延された受信信号１及び受信信号２と、に対して複素乗算処理を行う。
【００９３】
積算器４０７及び積算器４０８はそれぞれ、乗算器４０５及び乗算器４０６の出力を積算する。減算器４０９及び減算器４１０はそれぞれ、積算器４０７及び積算器４０８の出力としきい値とを減算処理する。判定器４１１及び判定器４１２はそれぞれ、減算器４０９及び減算器４１０の出力の正負判定を行う。例えば、この出力が正である場合に積算結果がしきい値を超えたと判定して、この積算値が得られるタイミングを後述するＦＦＴの処理タイミングとする。
【００９４】
最先タイミング検出部４１３は、判定器４１１の出力と判定器４１２の出力とを比較し、シンボル同期タイミングを時間的に早く獲得した方を選択し、この選択されたタイミングを、両ブランチに共通のシンボル同期タイミングとして、ＦＦＴ回路４１４及びＦＦＴ回路４１５の両方に出力する。
【００９５】
この最先タイミング検出部４１３は、ブランチ毎に設けられ、任意の一定周期で動作するカウンタ５０１，５０２と、カウンタ５０１，５０２の計測値の大小比較を行なう大小比較部５０３と、この計測値が最小となるブランチを選択するセレクタ５０４とを備えている。
【００９６】
ＦＦＴ回路４１４及びＦＦＴ回路４１５はそれぞれ、ディジタル信号に変換された受信信号１及び受信信号２に対して高速フーリエ変換（ＦＦＴ）処理を行う。これらＦＦＴ回路４１４及びＦＦＴ回路４１５におけるＦＦＴ処理はそれぞれ、判定器４１１又は判定器４１２の出力、すなわち処理開始タイミングに基づいて開始される。
【００９７】
セレクタ４１６は、受信信号１及び受信信号２の受信レベルに応じて、ＦＦＴ回路４１４の出力又はＦＦＴ回路４１５の出力を選択し、出力する。復調部４１７は、セレクタ４１６の出力信号に対して復調処理を行う。判定器４１８は、復調部４１７の出力信号の判定を行う。
【００９８】
アーク・タンジェント演算器４１９及びアーク・タンジェント演算器４２０はそれぞれ、従来と同様に、積算器４０７及び積算器４０８の出力信号に対してアーク・タンジェント演算を行う。平均化器４２１は、アーク・タンジェント演算器４１９の出力とアーク・タンジェント演算器４２０の出力との平均を取る。
【００９９】
次いで、上記構成を有するＯＦＤＭ受信装置の動作について説明する。
【０１００】
ブランチ１及びブランチ２によって受信された受信信号１及び受信信号２はそれぞれ、Ａ／Ｄ変換器４０１及びＡ／Ｄ変換器４０２によってディジタル信号に変換され、遅延器４０３及び遅延器４０４によって１シンボル分遅延され、乗算器４０５及び乗算器４０６によって１シンボル遅延された信号との相関値が算出される。
【０１０１】
算出された相関値はそれぞれ、積算器４０７及び積算器４０８によって積算され、減算器４０９及び減算器４１０によって、任意のしきい値と減算処理され、判定器４１１及び判定器４１２によって大小判定され、受信信号１及び受信信号２それぞれの相関値のピークを検出することができる。
【０１０２】
判定器４１１の出力である相関値のピーク及び判定器４１２の出力である相関値のピークは、最先タイミング検出部４１３によって、どちらのタイミングが時間的に早く獲得されたが比較・選択される。すなわち、図５において、カウンタ５０１及びカウンタ５０２はそれぞれ、サンプル速度で動作し、判定器４１１及び４１２の出力によってカウントを停止し、この停止時点でのカウンタ数値を保持する。大小比較器５０３は、カウンタ５０１及びカウンタ５０２の保持するカウンタ停止時点での数値の大小比較を行い、セレクタ５０４に出力する。
【０１０３】
セレクタ５０４は、大小比較器５０３の出力に応じて、カウンタ５０１及びカウンタ５０２の保持するカウンタ停止時点での数値の小さい方の判定器４１１及び４１２の出力を選択し、ＦＦＴ回路４１４及びＦＦＴ回路４１５の両方に出力する。
【０１０４】
このように選択されたタイミングは、両ブランチに共通のシンボル同期タイミングとして、受信信号１に対してＦＦＴ処理を行うＦＦＴ回路４１４及び受信信号２に対してＦＦＴ処理を行うＦＦＴ回路４１５の両方に共通のＦＦＴ処理開始のタイミングとなる。
【０１０５】
ディジタル信号に変換された受信信号１及び受信信号２は、最先タイミング検出部４１３からの制御信号をＦＦＴ処理開始トリガとするＦＦＴ回路４１４及びＦＦＴ回路４１５において、それぞれＦＦＴ処理される。
【０１０６】
ＦＦＴ処理された受信信号１及び受信信号２は、セレクタ４１６によって受信レベルが高い方が選択され、復調部４１７に出力される。復調部４１７に入力された受信信号は、復調部４１７によって復調処理が行われ、判定器４１８によって判定され、復調信号となる。
【０１０７】
一方、積算器４０７及び積算器４０８の出力信号はそれぞれ、アーク・タンジェント演算器４１９及びアーク・タンジェント演算器４２０によってアーク・タンジェント演算が行われ、各ブランチの受信信号の位相回転量が算出される。この各ブランチの受信信号の位相回転量は、平均化器４２１によって平均化され、出力される。平均化器４２１の出力である位相回転量Δｆは、補償すべき周波数オフセット量として、直交検波時の周波数オフセット補償に用いられる。
【０１０８】
このように、本実施の形態によれば、シンボル同期を時間的に最も早く獲得したブランチについてのシンボル同期をすべてのブランチにおける共通のシンボル同期タイミングとすることによって、シンボル同期タイミングが時間的に後方にずれることを防止し、シンボル同期タイミングの獲得精度を高めることができるため、マルチパス環境下でのダイバーシチの精度を向上させることができる。
【０１０９】
（実施の形態４）
本実施の形態に係るＯＦＤＭ受信装置は、実施の形態３と同様の構成を有し、但し周波数オフセット量にはシンボル同期が時間的に最も早く獲得されたブランチの受信信号の位相回転量Δｆを用いるものである。
【０１１０】
以下、図６を用いて、本実施の形態に係る装置について説明する。図６は、本発明の実施の形態４に係るＯＦＤＭ受信装置の概略構成を示す要部ブロック図である。なお、図中、図４と同様の構成には同じ符号を付し、詳しい説明は省略する。
【０１１１】
セレクタ６０１は、最先タイミング検出部４１３の出力に基づいて、シンボル同期タイミングを時間的に早く獲得できた方のブランチの受信信号の位相回転量、すなわちアーク・タンジェント演算器４１９の出力又はアーク・タンジェント演算器４２０の出力、を出力する。
【０１１２】
このように、本実施の形態によれば、周波数オフセット量検出の際、すべてのブランチの受信信号の位相回転量を平均化せず、シンボル同期タイミングが時間的に早く獲得された誤差の少ない方のブランチの受信信号の位相回転量のみを採用するため、補償すべき周波数オフセット量の検出精度を高めることができ、正確な周波数オフセット補償を行うことができる。
【０１１３】
（実施の形態５）
本実施の形態に係ＯＦＤＭ受信装置は、実施の形態３及び実施の形態４と同様の構成を有し、但し両ブランチにおけるシンボル同期タイミングが近接する場合には全ブランチの受信信号の位相回転量を平均化したものを周波数オフセット量に採用するものである。
【０１１４】
以下、図７用いて、本実施の形態に係る装置について説明する。図７は、本発明の実施の形態５に係るＯＦＤＭ受信装置の概略構成を示す要部ブロック図である。なお、実施の形態３又は４と同様の構成には同一符号を付し、詳しい説明は省略する。
【０１１５】
獲得された両ブランチにおけるシンボル同期タイミングが時間的に近接している場合は、実施の形態４のようにどちらかのブランチの受信信号の位相回転量のみを用いるよりも、実施の形態３のように両ブランチの受信信号の位相回転量を平均化して用いる方が誤差が少なくなるため、両ブランチについてのシンボル同期タイミングの時間的な間隔に応じて両者を使い分けるようにする。
【０１１６】
減算器７０１は、最先タイミング検出部４１３において両ブランチについてのシンボル同期タイミングの獲得時間が比較された結果に基づいて、両タイミングの時間間隔から任意のしきい値を減算する。判定器７０２は、減算器７０１の出力の正負を判定し、両ブランチについてのシンボル同期タイミングの獲得時間の時間間隔が充分近接している（時間差が小さい）といえるかどうかについて判断される。
【０１１７】
判定器７０２の出力は、セレクタ７０３に制御信号として入力される。セレクタ７０３は、平均化器４２１の出力とセレクタ６０１の出力とを選択的に出力するような制御を行う。
【０１１８】
例えば、減算結果がしきい値より小さい負となる場合には、すなわち両ブランチについてのシンボル同期タイミングの獲得時間の時間間隔が充分近接しており、タイミング検出精度は略同等であると考え、平均化処理を行なう旨の指示が平均化器４２１に送られ、平均化処理により周波数オフセットを求める。セレクタ７０３は、平均化器４２１の出力である各ブランチの受信信号の位相回転量を平均した値を周波数オフセット量として出力する。
【０１１９】
一方、判定器７０２における判断が両ブランチについてのシンボル同期タイミングが近接していないとするものであれば、どちらかのブランチにおけるシンボル同期タイミングには誤差が多く含まれるものとして、セレクタ７０３は、最先タイミング検出部４１３の出力に基づいてシンボル同期タイミングの獲得が時間的に早かった方のブランチの受信信号の位相回転量を出力するセレクタ６０１の出力を、周波数オフセット量として出力する。
【０１２０】
例えば、減算結果がしきい値より大きな負となる場合には、すなわち両ブランチについてのシンボル同期タイミングの検出時間の時間間隔が充分近接しているとは言えない状態では、いずれかのブランチについてのシンボル同期タイミングは誤差が多く含まれていると判断し、シンボル同期が時間的に早く獲得された方のブランチの受信信号の位相回転量を用いる旨の指示がセレクタ７０３に送られ、セレクタ７０３はセレクタ６０１の出力であるシンボル同期が時間的に早く獲得された方のブランチの受信信号の位相回転量を周波数オフセット量として出力する。
【０１２１】
このように、本実施の形態によれば、検出された両ブランチにおけるシンボル同期タイミングが近接する場合には全ブランチの受信信号の位相回転量を平均化したものを補償すべき周波数オフセット量に採用するため、周波数オフセット量の検出精度を高めることができ、正確な周波数オフセット補償を行うことができる。
【０１２２】
本発明のＯＦＤＭ受信装置は、無線通信システムにおける移動局のような通信端末装置や基地局装置に適用することができる。これにより、シンボル同期獲得の精度が向上するため、通信中の誤差を低減させ、回線品質を向上させることができる。
【０１２３】
上記実施の形態３から実施の形態５の説明においては、ブランチが２つ、すなわち受信信号のブランチが２つ、の場合について述べたが、本発明はブランチが任意の複数個の場合にも同様に適用することができる。
【０１２４】
なお、上記実施の形態１から実施の形態５においては、最先タイミング検出部が、カウンタを用いて計測数の大小比較を行なう構成である場合について説明しているが、本発明はこのような構成に限定されるものではなく、フレーム毎又はブランチ毎に検出された相関値のピークのタイミングを比較し、時間的に最も早いものを選択し、シンボル同期タイミングとして用いることが可能であば、上記以外の構成を適用することもできる。
【０１２５】
又、実施の形態１又は２に示したシンボル同期タイミングの設定方法は、実施の形態３から５に示したようなダイバーシチの場合にも同時適用することができる。
【０１２６】
【発明の効果】
以上説明したように、本発明のＯＦＤＭ受信装置は、一定時間内に受信された複数のフレームのうち、最も早く相関値のピークが検出されたフレームについてのピーク検出タイミングをＦＦＴ処理開始のタイミングであるシンボル同期タイミングとして用い、又、ダイバーシチにおいては、最も早く相関値のピークが検出されたブランチについてのピーク検出タイミングを全ブランチについて共通のＦＦＴ処理開始のタイミングであるシンボル同期タイミングとして用いることによって、シンボル同期獲得の精度を向上させ、マルチパス環境下での誤り率を向上させることができる。
【図面の簡単な説明】
【図１】本発明の実施の形態１に係るＯＦＤＭ受信装置の概略構成を示す要部ブロック図
【図２】本発明の実施の形態１に係るＯＦＤＭ受信装置の最先タイミング検出部の概略構成を示す要部ブロック図
【図３】本発明の実施の形態２に係るＯＦＤＭ受信装置の最先タイミング検出部の概略構成を示す要部ブロック図
【図４】本発明の実施の形態３に係るＯＦＤＭ受信装置の概略構成を示す要部ブロック図
【図５】本発明の実施の形態３に係るＯＦＤＭ受信装置の最先タイミング検出部の概略構成を示す要部ブロック図
【図６】本発明の実施の形態４に係るＯＦＤＭ受信装置の概略構成を示す要部ブロック図
【図７】本発明の実施の形態５に係るＯＦＤＭ受信装置の概略構成を示す要部ブロック図
【図８】従来のＯＦＤＭ受信装置の一概略構成を示す要部ブロック図
【図９】従来のＯＦＤＭ受信装置の一概略構成を示す要部ブロック図
【図１０】ＯＦＤＭ方式の送信信号のフレーム構成を示す模式図
【図１１】ＯＦＤＭ受信装置における相関値算出結果を示す模式図
【図１】
0003606761.tif 000002
【図２】
0003606761.tif 000003
【図３】
0003606761.tif 000004
【図４】
0003606761.tif 000005
【図５】
0003606761.tif 000006
【図６】
0003606761.tif 000007
【図７】
0003606761.tif 000008
【図８】
0003606761.tif 000009
【図９】
0003606761.tif 000010
【図１０】
0003606761.tif 000011
【図１１】
0003606761.tif 000012